(57)【要約】  セルフレーム２０は、開口部２２を備えた枠体２１であって、開口部２２の周囲で枠体２１を一方の面から他方の面まで貫通し、活物質を含む流体が流通する貫通孔３１と、一方の面または他方の面に形成され、貫通孔３１と開口部２２とを接続する溝状のスリット３５と、を有する枠体２１と、絶縁材料からなり、スリット３５内に収容され、貫通孔３１と開口部２２との間でスリット３５内を流れる流体によって回転する回転体４０と、を有している。
2020080278.tif 000002
【特許請求の範囲】
【請求項１】
開口部を備えた枠体であって、前記開口部の周囲で前記枠体を一方の面から他方の面まで貫通し、活物質を含む流体が流通する貫通孔と、前記一方の面または前記他方の面に形成され、前記貫通孔と前記開口部とを接続する溝状のスリットと、を有する枠体と、
絶縁材料からなり、前記スリット内に収容され、前記貫通孔と前記開口部との間で前記スリット内を流れる前記流体によって回転する回転体と、を有するセルフレーム。
【請求項２】
前記回転体は、前記スリットのうち他の部分よりも幅が広い部分である回転体収容部に収容され、前記スリットの深さ方向に垂直な面内で回転する、請求項１に記載のセルフレーム。
【請求項３】
前記回転体は、前記回転体収容部を画定する内壁面のうち該回転体収容部の流体入口と流体出口とによって分離される２つの部分にそれぞれ少なくとも１箇所で実質的に接触しながら回転する、請求項２に記載のセルフレーム。
【請求項４】
前記回転体が、前記回転体収容部の底面から突出する軸部に対して前記面内でスライドしながら回転する十字型回転体である、請求項３に記載のセルフレーム。
【請求項５】
前記十字型回転体が、細長いベース部であって、前記ベース部の長手方向に延びる長孔を有し、前記長孔に挿入された前記軸部によって長手方向にスライド可能かつ回転可能に支持されたベース部と、前記ベース部の長手方向の両端から互いに反対方向に延びる一対の主翼部と、前記ベース部の長手方向の中央部に設けられた一対の補助翼部であって、前記ベース部の短手方向の両側から前記一対の主翼部に垂直な方向に沿って互いに反対方向に延びる一対の補助翼部とを有する、請求項４に記載のセルフレーム。
【請求項６】
前記回転体が、互いに接触しながら回転する一対のルーツロータからなる、請求項３に記載のセルフレーム。
【請求項７】
前記回転体が、互いに接触しながら回転する一対のオーバル歯車からなる、請求項３に記載のセルフレーム。
【請求項８】
前記枠体が、前記開口部の周囲で前記枠体を前記一方の面から前記他方の面まで貫通し、活物質を含む流体が流通する他の貫通孔と、前記スリットが形成された面と反対側の面に形成され、前記他の貫通孔と前記開口部とを接続する溝状の他のスリットと、を有し、
絶縁材料からなり、前記他のスリット内に収容され、前記他の貫通孔と前記開口部との間で前記他のスリット内を流れる前記流体によって回転する、前記回転体と同じ構成の他の回転体を有する、請求項１から７のいずれか１項に記載のセルフレーム。
【請求項９】
前記回転体と前記他の回転体は、平面視で同じ位置に設けられ、互いに機械的または磁気的に連結されて同期して回転する、請求項８に記載のセルフレーム。
【請求項１０】
積層された複数の電池セルを有するセルスタックを備え、前記複数の電池セルを構成する複数のセルフレームの少なくとも１つが、請求項１から７のいずれか１項に記載のセルフレームである、レドックスフロー電池。
【請求項１１】
前記複数のセルフレームが複数の前記回転体を有する、請求項１０に記載のレドックスフロー電池。
【請求項１２】
前記複数の回転体は、前記セルスタックの積層方向から見て同じ位置に設けられ、互いに機械的または磁気的に連結されて同期して回転する、請求項１１に記載のレドックスフロー電池。
【請求項１３】
積層された複数の電池セルを有するセルスタックを備え、前記複数の電池セルを構成する複数のセルフレームの少なくとも１つが、請求項８に記載のセルフレームである、レドックスフロー電池。
【請求項１４】
前記複数のセルフレームが、複数の前記回転体と複数の前記他の回転体とを有する、請求項１３に記載のレドックスフロー電池。
【請求項１５】
前記複数の回転体と前記複数の他の回転体は、前記セルスタックの積層方向から見て同じ位置に設けられ、互いに機械的または磁気的に連結されて同期して回転する、請求項１４に記載のレドックスフロー電池。
【請求項１６】
前記セルスタックの前記複数の電池セルは、前記流体が前記複数の電池セルを並列に流れるように互いに接続されている、請求項９から１５のいずれか１項に記載のレドックスフロー電池。
【請求項１７】
前記セルスタックの前記複数の電池セルは、前記流体が前記複数の電池セルを直列に流れるように互いに接続されている、請求項９から１５のいずれか１項に記載のレドックスフロー電池。
【請求項１８】
前記セルスタックは、それぞれが前記複数の電池セルからなる複数のセルグループに分割され、前記複数のセルグループは、前記流体が前記複数のセルグループを並列で流れるように互いに接続され、前記各セルグループの前記複数の電池セルは、前記流体が前記複数の電池セルを直列または並列に流れるように互いに接続されている、請求項９から１５のいずれか１項に記載のレドックスフロー電池。
【請求項１９】
前記複数のセルグループにそれぞれ接続された複数の流路の少なくとも１つに収容された別の回転体であって、絶縁材料からなり、前記少なくとも１つの流路内を流れる前記流体によって回転する別の回転体を有する、請求項１８に記載のレドックスフロー電池。
【請求項２０】
積層された複数の電池セルを有するセルスタックを備えたレドックスフロー電池であって、
前記セルスタックは、それぞれが前記複数の電池セルからなる複数のセルグループに分割され、前記複数のセルグループは、活物質を含む流体が前記複数のセルグループを並列で流れるように互いに接続され、前記各セルグループの前記複数の電池セルは、前記流体が前記複数の電池セルを直列または並列に流れるように互いに接続され、
前記複数のセルグループにそれぞれ接続された複数の流路の少なくとも１つに収容された回転体であって、絶縁材料からなり、前記少なくとも１つの流路内を流れる前記流体によって回転する回転体を有するレドックスフロー電池。
【発明の詳細な説明】
【技術分野】
【０００１】
本発明は、セルフレームおよびレドックスフロー電池に関する。
【背景技術】
【０００２】
従来から、電力貯蔵用の二次電池として、電解液に含まれる活物質の酸化還元反応を利用して充放電を行うレドックスフロー電池が知られている。レドックスフロー電池は、大容量化が容易、長寿命、電池の充電状態が正確に監視可能であるなどの特徴を有している。このような特徴から、近年では、特に発電量の変動が大きい再生可能エネルギーの出力安定化や電力負荷平準化の用途としてレドックスフロー電池は大きな注目を集めている。【０００３】
一方で、レドックスフロー電池は、所定の電圧を得るために、複数の電池セルが積層されたセルスタックを有する構成が一般的であるが、そのような構成には、電解液を通じて電流損失（シャントカレントロス）が生じるという課題がある。このシャントカレントロスを低減する方法の１つとして、電池セルを構成するセルフレームに設けられたスリット（流路）内の電解液の電気抵抗を大きくする方法が知られており、これを利用した数多くの提案がなされている。特許文献１には、セルスタックの積層方向の中心部から端部に向かうにつれて電解液の電気抵抗が大きくなるように、セルフレームごとに流路構造を変化させ、シャントカレントロスを低減する方法が提案されている。また、特許文献２には、セルフレームの流路内に電解液を滴下する構成を採用し、空気による絶縁空間を介在させることで電解液の電気抵抗を大きくし、シャントカレントロスを低減する方法が提案されている。
【先行技術文献】
【特許文献】
【０００４】
【特許文献１】特開２０１３−８０６１１号公報
【特許文献２】特開２０１７−１３４９１９号公報
【発明の概要】
【発明が解決しようとする課題】
【０００５】
特許文献１に記載の方法では、異なる流路構造のセルフレームを用意し、それらを適切な順番に積層してセルスタックを構成する必要があるため、製造工程が煩雑になる。また、この方法では、セルフレームごとにスリットの長さを変化させることで電解液の電気抵抗を変化させている。そのため、セルフレーム（電池セル）間で電解液の流量に大きな差が生じる可能性があり、このことは、安定的な運転（充放電）を行う上で好ましくないと考えられる。一方、特許文献２に記載の方法では、電解液を滴下するための流路構造が複雑になり、電解液の滴下量を適切に管理するなど、空気による絶縁空間を確実に形成するために複雑な運転制御も必要になる。【０００６】
そこで、本発明の目的は、簡単な構成でシャントカレントロスを低減することができるセルフレームおよびレドックスフロー電池を提供することである。
【課題を解決するための手段】
【０００７】
上述した目的を達成するために、本発明のセルフレームは、開口部を備えた枠体であって、開口部の周囲で枠体を一方の面から他方の面まで貫通し、活物質を含む流体が流通する貫通孔と、一方の面または他方の面に形成され、貫通孔と開口部とを接続する溝状のスリットと、を有する枠体と、絶縁材料からなり、スリット内に収容され、貫通孔と開口部との間でスリット内を流れる流体によって回転する回転体と、を有している。【０００８】
また、本発明の一態様によるレドックスフロー電池は、積層された複数の電池セルを有するセルスタックを備え、複数の電池セルを構成する複数のセルフレームの少なくとも１つが、上記したセルフレームである。【０００９】
また、本発明の他の態様によるレドックスフロー電池は、積層された複数の電池セルを有するセルスタックを備えたレドックスフロー電池であって、セルスタックは、それぞれが複数の電池セルからなる複数のセルグループに分割され、複数のセルグループは、活物質を含む流体が複数のセルグループを並列で流れるように互いに接続され、各セルグループの複数の電池セルは、流体が複数の電池セルを直列または並列に流れるように互いに接続され、レドックスフロー電池は、複数のセルグループにそれぞれ接続された複数の流路の少なくとも１つに収容された回転体であって、絶縁材料からなり、少なくとも１つの流路内を流れる流体によって回転する回転体を有している。【００１０】
このようなセルフレームおよびレドックスフロー電池によれば、スリット（流路）内を流れる流体（電解液）の流量に大きな影響を与えることなく、スリット（流路）内の流体（電解液）の電気抵抗を大きくすることができる。また、スリット（流路）内に回転体を設置するだけでよいため、流路構造が複雑になることはなく、複雑な運転制御が必要になることもない。
【発明の効果】
【００１１】
以上、本発明によれば、簡単な構成でシャントカレントロスを低減することができる。
【図面の簡単な説明】
【００１２】
【図１Ａ】第１の実施形態に係るレドックスフロー電池の概略構成図である。
【図１Ｂ】第１の実施形態に係るレドックスフロー電池を構成するセルスタックの概略構成図である。
【図２】第１の実施形態に係るセルフレームの概略平面図である。
【図３Ａ】特定の回転位置にある十字型回転体を示す概略平面図である。
【図３Ｂ】図３Ａに示す回転位置に続く回転位置にある十字型回転体を示す概略平面図である。
【図３Ｃ】図３Ｂに示す回転位置に続く回転位置にある十字型回転体を示す概略平面図である。
【図３Ｄ】図３Ｃに示す回転位置に続く回転位置にある十字型回転体を示す概略平面図である。
【図３Ｅ】図３Ｄに示す回転位置に続く回転位置にある十字型回転体を示す概略平面図である。
【図３Ｆ】図３Ｅに示す回転位置に続く回転位置にある十字型回転体を示す概略平面図である。
【図４Ａ】図３Ｆに示す回転位置に続く回転位置にある十字型回転体を示す概略平面図である。
【図４Ｂ】図４Ａに示す回転位置に続く回転位置にある十字型回転体を示す概略平面図である。
【図４Ｃ】図４Ｂに示す回転位置に続く回転位置にある十字型回転体を示す概略平面図である。
【図４Ｄ】図４Ｃに示す回転位置に続く回転位置にある十字型回転体を示す概略平面図である。
【図４Ｅ】図４Ｄに示す回転位置に続く回転位置にある十字型回転体を示す概略平面図である。
【図５】第１の実施形態の変形例に係るセルフレームの概略平面図である。
【図６】第１の実施形態の変形例に係るセルフレームの概略平面図である。
【図７Ａ】第１の実施形態の変形例に係るレドックスフロー電池の概略構成図である。
【図７Ｂ】第１の実施形態の変形例に係るレドックスフロー電池を構成するセルグループの概略構成図である。
【図８】第２の実施形態に係るセルフレームの概略平面図である。
【発明を実施するための形態】
【００１３】
以下、図面を参照して、本発明の実施の形態について説明する。
【００１４】
（第１の実施形態）
図１Ａは、本発明の第１の実施形態に係るレドックスフロー電池の概略構成図である。図１Ｂは、本実施形態のレドックスフロー電池を構成するセルスタックの概略構成図である。
【００１５】
レドックスフロー電池１は、電池セル１０内での正極活物質および負極活物質の酸化還元反応を利用して充放電を行うものであり、積層された複数の電池セル１０を有するセルスタック２を備えている。セルスタック２は、正極側往路配管Ｌ１および正極側復路配管Ｌ２を介して、正極電解液を貯留する正極側タンク３に接続されている。正極側往路配管Ｌ１には、正極側タンク３とセルスタック２との間で正極電解液を循環させる正極側ポンプ４が設けられている。また、セルスタック２は、負極側往路配管Ｌ３および負極側復路配管Ｌ４を介して、負極電解液を貯留する負極側タンク５に接続されている。負極側往路配管Ｌ３には、負極側タンク５とセルスタック２との間で負極電解液を循環させる負極側ポンプ６が設けられている。なお、電解液としては、液相中に粒状の活物質を懸濁・分散させて形成されたスラリーや、液状になった活物質そのものなど、活物質を含むあらゆる流体を用いることができる。したがって、ここでいう電解液は、活物質の溶液に限定されるものではない。
【００１６】
複数の電池セル１０は、後述するセルフレームによって互いに区画されている。セルフレームの詳細な構成については後述する。図１Ｂには、４つの電池セル１０が示されているが、セルスタック２を構成する電池セル１０の個数はこれに限定されるものではない。
【００１７】
各電池セル１０は、正極電極１１ａを収容する正極セル１１と、負極電極１２ａを収容する負極セル１２と、正極セル１１と負極セル１２とを分離する隔膜１３とを有している。正極セル１１は、個別供給流路Ｐ１および共通供給流路Ｃ１を介して、正極側往路配管Ｌ１に接続され、個別回収流路Ｐ２および共通回収流路Ｃ２を介して、正極側復路配管Ｌ２に接続されている。これにより、正極セル１１には、正極側タンク３から正極活物質を含む正極電解液が供給される。こうして、正極セル１１では、充電動作時に還元状態の正極活物質が酸化状態に変化する酸化反応が起こり、放電動作時に酸化状態の正極活物質が還元状態に変化する還元反応が起こる。一方、負極セル１２は、個別供給流路Ｐ３および共通供給流路Ｃ３を介して、負極側往路配管Ｌ３に接続され、個別回収流路Ｐ４および共通回収流路Ｃ４を介して、負極側復路配管Ｌ４に接続されている。これにより、負極セル１２には、負極側タンク５から負極活物質を含む負極電解液が供給される。こうして、負極セル１２では、充電動作時に酸化状態の負極活物質が還元状態に変化する還元反応が起こり、放電動作時に還元状態の負極活物質が酸化状態に変化する酸化反応が起こる。
【００１８】
図２は、本実施形態の電池セルを構成するセルフレームの概略平面図であり、セルスタックの積層方向から見た平面を示している。
【００１９】
セルフレーム２０は、上述したように、隣接する電池セル１０を互いに区画するものであり、枠体２１と、枠体２１の開口部２２に装着された双極板２３とを有している。開口部２２の内側の空間は、双極板２３によって２つの部分に分けられ、一方の部分（紙面表側の部分）に正極電極１１ａが収容され、他方の部分（紙面裏側の部分）に負極電極１２ａが収容される。すなわち、双極板２３の一方の面と隔膜１３との間に、正極電極１１ａを収容する正極セル１１が形成され、双極板２３の他方の面と隔膜１３との間に、負極電極１２ａを収容する負極セル１２が形成される。
【００２０】
枠体２１は、開口部２２の周囲の４つの角部付近に形成され、それぞれ枠体２１を一方の面から他方の面まで厚み方向に貫通する貫通孔３１〜３４を有している。貫通孔３１〜３４は、複数のセルフレーム２０が積層されてセルスタック２を構成したときに上述した共通流路Ｃ１〜Ｃ４を構成し、それぞれ電解液を流通させる。具体的には、左下の貫通孔３１および右上の貫通孔３２は、それぞれ正極電解液用の共通供給流路Ｃ１および共通回収流路Ｃ２を構成し、右下の貫通孔３３および左上の貫通孔３４は、それぞれ負極電解液用の共通供給流路Ｃ３および共通回収流路Ｃ４を構成する。
【００２１】
枠体２１は、一方の面（紙面表側の面）に形成され、貫通孔３１，３２と開口部２２のうち正極電極１１ａを収容する部分とを接続する溝状のスリット３５，３６を有している。スリット３５，３６は、複数のセルフレーム２０が積層されてセルスタック２を構成したときに、上述した正極電解液用の個別流路Ｐ１，Ｐ２を構成する。したがって、正極電解液は、貫通孔３１（共通供給流路Ｃ１）からスリット３５（個別供給流路Ｐ１）を介して、開口部２２のうち正極電極１１ａを収容する部分（正極セル１１）に供給され、スリット３６（個別回収流路Ｐ２）を介して、貫通孔３２（共通回収流路Ｃ２）へと回収される。
【００２２】
また、枠体２１は、他方の面（紙面裏側の面）に形成され、貫通孔３３，３４と開口部２２のうち負極電極１２ａを収容する部分とを接続する溝状のスリット３７，３８を有している。スリット３７，３８は、複数のセルフレーム２０が積層されてセルスタック２を構成したときに、上述した負極電解液用の個別流路Ｐ３，Ｐ４を構成する。したがって、負極電解液は、貫通孔３３（共通供給流路Ｃ３）からスリット３７（個別供給流路Ｐ３）を介して、開口部２２のうち負極電極１２ａを収容する部分（負極セル１２）に供給され、スリット３８（個別回収流路Ｐ４）を介して、貫通孔３４（共通回収流路Ｃ４）へと回収される。
【００２３】
さらに、セルフレーム２０は、スリット３５内に収容された絶縁材料からなる十字型回転体４０を有している。十字型回転体４０は、詳細は後述するように、貫通孔３１と開口部２２との間でスリット３５内を流れる電解液によって回転することができる。なお、説明および図示は省略するが、４つのスリット３５〜３８のうち残りのスリット３６〜３８にも同様の十字型回転体４０（後述の変形例を含む）が設けられている。
【００２４】
十字型回転体４０は、スリット３５のうち他の部分よりも幅が広い部分である回転体収容部５０に収容され、回転体収容部５０の深さに対応する一定の幅（紙面に垂直な枠体２１の厚み方向に沿った長さ）を有している。なお、回転体収容部５０の深さは、スリット３５の深さと同じであっても同じでなくてもよいが、電解液が回転体収容部５０を通過する際の不要な圧力損失を抑える観点から、スリット３５の深さと同じかそれよりも大きいことが好ましい。
【００２５】
十字型回転体４０は、細長いベース部４１と、一対の主翼部４２，４３と、一対の補助翼部４４，４５とを有している。ベース部４１は、ベース部４１の長手方向に延びる長孔４１ａを有している。長孔４１ａは、回転体収容部５０の底面から枠体２１の厚み方向に突出する軸部５１を収容し、これにより、軸部５１は、長孔４１ａに対して相対移動可能である。こうして、ベース部４１は、長孔４１ａに挿入された軸部５１によって長手方向にスライド可能かつ回転可能に支持されている。一対の主翼部４２，４３は、ベース部４１の長手方向の両端から互いに反対方向に延びている。一対の補助翼部４４，４５は、ベース部４１の長手方向の中央部に設けられ、ベース部４１の短手方向の両側から一対の主翼部４２，４３に垂直な方向に沿って互いに反対方向に延びている。
【００２６】
このような構成により、十字型回転体４０は、スリット３５内を流れる電解液の流れを受けて、スリット３５の深さ方向に垂直な面内（紙面に平行な面内）で軸部５１に対してスライドしながら回転する。以下、図３Ａから図４Ｅを参照しながら、十字型回転体４０の回転動作について説明する。図３Ａから図４Ｅはそれぞれ、十字型回転体が半回転する間の異なる回転位置を示す概略平面図である。なお、十字型回転体は点対称な平面形状を有しており、図３Ａに示す回転位置と図４Ｅに示す回転位置は実質的には同じ回転位置に対応する。そのため、以下の説明では、これら２つの回転位置を区別しない場合もある。
【００２７】
十字型回転体４０は、図３Ａに示す回転位置において電解液入口５３から回転体収容部５０に流入した電解液から力を受けると、軸部５１を中心として反時計方向に回転し、図３Ｂに示す回転位置まで到達する。そして、十字型回転体が図３Ｂに示す回転位置から図３Ｃに示す回転位置まで回転する間の所定の回転位置を起点として、十字型回転体４０の軸部５１に対するスライドが開始される。換言すると、一対の主翼部のうち第２の主翼部４３の先端が電解液出口（流体出口）５４を横切る間の所定の回転位置を起点として、十字型回転体４０の中心（回転面内での重心）が軸部５１からずれ始める。この図３Ａに示す回転位置から図３Ｃに示す回転位置までの間、一対の主翼部のうち少なくとも第１の主翼部４２の先端と一対の補助翼部のうち第１の補助翼部４４の先端がそれぞれ回転体収容部５０の内壁面５２に実質的に接触している。これにより、回転体収容部５０の電解液入口５３と電解液出口５４との間の電解液による導通は実質的に遮断される。
【００２８】
さらに、十字型回転体４０は電解液の流れを受け、図３Ｄから図４Ｂに示すように、軸部５１に対してスライドしながら反時計方向に回転する。この間は、両方の主翼部４３，４４の先端が回転体収容部５０の内壁面５２に実質的に接触し、これにより、電解液入口５３と電解液出口５４との間の電解液による導通が実質的に遮断される。なお、図３Ｄに示す回転位置から図４Ｂに示す回転位置までの間、より正確には、図３Ｃに示す回転位置の直後から図４Ｃに示す回転位置の直前までの間、一対の補助翼部４４，４５はどちらも回転体収容部５０の内壁面５２に接触していない。
【００２９】
その後、十字型回転体４０は図４Ｃに示す回転位置まで到達する。そして、十字型回転体が図４Ｃに示す回転位置から図４Ｄに示す回転位置まで回転する間の所定の回転位置を終点として、十字型回転体４０の軸部５１に対するスライドが停止される。換言すると、一対の主翼部のうち第２の主翼部４３の先端が電解液入口（流体入口）５３を横切る間の所定の回転位置を起点として、十字型回転体４０の中心が軸部５１に一致し始める。こうして、十字型回転体４０は軸部５１を中心として反時計方向に回転し、図４Ｅに示す回転位置（すなわち図３Ａに示す回転位置）まで到達する。この図４Ｃに示す回転位置から図４Ｅに示す回転位置までの間は、一対の主翼部のうち少なくとも第１の主翼部４２の先端と一対の補助翼部のうち第２の補助翼部４５の先端がそれぞれ回転体収容部５０の内壁面５２に実質的に接触している。これにより、回転体収容部５０の電解液入口５３と電解液出口５４との間の電解液による導通は実質的に遮断される。
【００３０】
十字型回転体４０の上述した一連の回転動作は、十字型回転体４０が電解液入口５３から回転体収容部５０に流入する電解液から力を受け続ける限り継続される。そして、一連の回転動作に伴い、電解液入口５３から流入した流体は電解液出口５４から流出する。
【００３１】
このように、セルフレーム２０のスリット３５内には、電解液の流れを受けて回転する絶縁材料からなる十字型回転体４０が収容されている。これにより、スリット３５内の電解液の電気抵抗を大きくすることができ、シャントカレントロスを低減することができる。また、電解液の電気抵抗を大きくするためにスリット３５内に十字型回転体４０を設置するだけでよいため、セルフレーム２０の流路構造が複雑になることはない。さらに、十字型回転体４０を回転させるために複雑な機構が必要になることはなく、そのため、複雑な運転制御が必要になることもない。例えば、スリット内の電解液の電気抵抗を大きくするためには、スリットの幅を狭くしたり長さを長くしたりすることも考えられるが、このことは、スリット３５内を流れる電解液の流量に大きな影響を与えてしまう。十字型回転体４０の設置は、そのような悪影響がない点でも有利である。
【００３２】
十字型回転体４０の絶縁材料は、十字型回転体４０としての機能を損なわないような十分な強度を有するものであれば、特定のものに限定されるものではなく、例えば、枠体２１と同じ絶縁材料であってもよい。枠体２１の絶縁材料としては、適度な剛性を有するとともに、電解液と反応せず、電解液に対する耐性（耐薬品性、耐酸性など）を有するものを用いることができる。そのような材料としては、例えば、塩化ビニル、ポリエチレン、ポリプロピレンなどが挙げられる。
【００３３】
軸部５１に対する十字型回転体４０の動きは、図３Ａから図４Ｅからも明らかなように、回転体収容部５０の形状（内壁面５２の輪郭）に規定される。しかしながら、このことは、軸部５１に対する十字型回転体４０の所望の動きに応じて、回転体収容部５０の形状が任意に設定可能であること意味する。すなわち、回転体収容部５０は、電解液入口５３から回転体収容部５０に流入する電解液によって十字型回転体４０の回転方向が一意に定まる限り、かつ十字型回転体４０が回転体収容部５０の電解液入口５３と電解液出口５４との間の電解液による導通を常時実質的に遮断する限り、任意の形状を有していてよい。十字型回転体４０の回転方向が一意に定まるには、十字型回転体４０の中心（回転面内での重心）が、十字型回転体４０が半回転する間の所定の回転範囲内において軸部５１に一致し、その他の回転範囲では軸部５１からずれていることが必要になる。加えて、十字型回転体４０の中心が軸部５１に一致している間は、少なくとも補助翼部４４，４５のどちらかの先端が回転体収容部５０の内壁面５２に接触していることが必要になる。この所定の回転範囲は、一対の主翼部４２，４３の一方の先端が電解液入口５３を横切る途中の所定の回転位置から他方の先端が電解液出口５４を横切る途中の所定の回転位置までの範囲である。図３Ａから図４Ｅに図示した例では、この所定の回転範囲は、図４Ｄに示す回転位置から、図４Ｅに示す回転位置すなわち図３Ａに示す回転位置を経由して、図３Ｂに示す回転位置までの範囲である。また、電解液による導通を実質的に常時遮断するには、十字型回転体４０が、回転体収容部５０を画定する内壁面５２のうち電解液入口５３と電解液出口５４とによって分離される２つの部分５２ａ，５２ｂにそれぞれ少なくとも１箇所で実質的に接触しながら回転することが必要になる。なお、ここでいう「実質的に接触」とは、その隙間から電解液による導通が発生してもそれが無視できる程度であれば、十字型回転体４０と回転体収容部５０の内壁面５２との間にわずかな隙間があってもよいことを意味する。
【００３４】
したがって、図示した回転体収容部５０の形状は、単なる一例であり、上述した２つの要求（十字型回転体４０の回転方向に関する要求と導通遮断に関する要求）を満たす範囲で任意に変更可能である。例えば、軸部５１はベース部４１に対して相対的にスライドしてベース部４１の端部まで到達するが（図３Ｆ参照）、上述した２つの要求を満たす限り、ベース部４１に対する軸部５１の相対的なスライド範囲に特に制限はない。換言すると、このような相対的なスライド範囲が任意に設定されると、そうして設定された範囲に基づいて、上述した２つの要求を満たすように回転体収容部５０の形状を設定することができる。また、補助翼部４４，４５が回転体収容部５０の内壁面５２に接触する範囲も、上述した２つの要求を満たしていれば、図示した範囲に限定されず、任意に設定可能である。しかしながら、例えば、図示したよりも広い回転範囲で補助翼部４４，４５と内壁面５２とを接触させようとすると、十字型回転体４０の回転条件などから、回転体収容部５０の設計がより複雑になる。そのため、補助翼部４４，４５と内壁面５２との接触は、図示したのと同様に、主翼部４２，４３の一方の先端が電解液入口５３を横切る直前（図４Ｃ参照）に開始され、他方の先端が電解液出口５４を横切った直後（図３Ｃ参照）に解除されることが好ましい。
【００３５】
なお、回転体収容部５０の形状は、十字型回転体４０の形状とスリット３５に対する軸部５１の位置にも依存する。換言すると、十字型回転体４０の形状が決定され、スリット３５に対する軸部５１の位置が決定されると、それらに基づいて、上述した２つの要求を満たすように回転体収容部５０の形状を設定することができる。したがって、十字型回転体４０の形状は、それがベース部４１と一対の主翼部４２，４３と一対の補助翼部４４，４５とを有する限り、特定の形状に限定されるものではない。例えば、図示した回転体収容部５０の形状は、主翼部４３，４４の長さと補助翼部４４，４５の長さが同じであることを前提としているが、それらは異なっていてもよい。また、スリット３５に対する軸部５１の位置も、電解液入口５３と電解液出口５４とを結ぶ直線からずれた位置であれば、特定の位置に限定されるものではない。
【００３６】
上述した実施形態では、十字型回転体４０は、スリット３５の水平部分に設けられているが、十字型回転体４０の設置位置はこれに限定されるものではない。例えば、図５に示すように、十字型回転体４０はスリット３５の屈曲部分に設けられていてもよく、あるいは、垂直部分に設けられていてもよい。なお、すべてのスリット３５〜３８において必ずしも同じ位置（例えば水平部分）に十字型回転体４０が設置されている必要はない。例えば、供給側のスリット３５，３７と回収側のスリット３６，３８とで十字型回転体４０の設置位置が異なっていてもよい。あるいは、正極側のスリット３５，３６と負極側のスリット３７，３８とで十字型回転体４０の設置位置が異なっていてもよい。
【００３７】
また、複数のセルフレーム２０が積層されてセルスタック２を構成したときに、同じスリット３５に対応する複数の十字型回転体４０が、積層方向から見て同じ位置に設けられていてもよい。この場合、複数の十字型回転体４０は、互いに同期して回転するように構成されていることが好ましく、それにより、セルフレーム２０（電池セル１０）の位置によらずに電解液を均等に流すことができ、安定的な運転（充放電）を行うことができる。複数の十字型回転体４０を同期させる方法としては、十字型回転体４０の一部を磁性材料で形成するなどして複数の十字型回転体４０を磁気的に連結する方法を用いることができる。
【００３８】
図示したスリット３５〜３８の形状はあくまで一例であり、これ以外にも様々な形状のスリット３５〜３８が考えられるが、十字型回転体４０の設置位置は、そのようなスリット３５〜３８の形状に応じて様々に変更可能であることに留意されたい。例えば、図６には、垂直部分が平面視で互いに重なり合うスリット３５〜３８の構成例が示されている。このような構成例では、図示したように、１つのセルフレーム２０において、正極側（枠体２１の一方の面側）のスリット３５の十字型回転体４０と負極側（枠体２１の他方の面側）のスリット３７の十字型回転体４０を平面視で同じ位置に設けることもできる。この場合、これらの十字型回転体４０は、上述したように互いに同期して回転するようになっていてもよい。さらには、このようなセルフレーム２０がセルスタック２を構成したときに、隣接するセルフレーム２０の十字型回転体４０も互いに同期して回転するようになっていてもよい。すなわち、正極側のスリット３５に対応する複数の十字型回転体４０と負極側のスリット３７に対応する複数の十字型回転体４０とが、互いに同期して回転するようになっていてもよい。このことは、上述したように安定的な運転を行う上で有利であるだけでなく、例えば正極側の十字型回転体４０だけを磁気的に連結して同期させる場合に比べて、十字型回転体４０同士の距離が短くなり磁気的な連結が容易になる点でも有利である。
【００３９】
上述した実施形態では、正極電解液が左下の貫通孔３１から供給されて開口部２２内を上向きに流れ、右上の貫通孔３２へと回収されるようになっているが、正極電解液の流れる向きはこれに限定されるものではない。同様に、上述した実施形態では、負極電解液が右下の貫通孔３３から供給されて開口部２２内を上向きに流れ、左上の貫通孔３４へと回収されるようになっているが、負極電解液の流れる向きはこれに限定されるものではない。例えば、正極電解液および負極電解液の一方が開口部２２内を下向きに流れるようになっていてもよい。あるいは、正極電解液および負極電解液の両方が開口部２２内を下向きに流れるようになっていてもよい。いずれの場合にも、各スリット３５〜３８に上述した十字型回転体４０を設置することができる。
【００４０】
また、上述した実施形態では、複数の電池セル１０は、各電解液が複数の電池セル１０を並列に流れるように互いに接続されているが、複数の電気セル１０の接続形態はこれに限定されるものではない。例えば、複数の電池セル１０は、各電解液が複数の電池セル１０を直列に流れるように互いに接続されていてもよく、このような構成においても、セルフレーム２０の各スリット３５〜３８に上述した十字型回転体４０を設置することができる。あるいは、レドックスフロー電池１は、並列流路と直列流路が組み合わされた階層的な流路構成を有していてもよい。図７Ａおよび図７Ｂは、このような変形例に係るレドックスフロー電池の概略構成図である。
【００４１】
図７Ａおよび図７Ｂに示す変形例では、セルスタック２は、それぞれが複数の電池セル１０からなる複数のセルグループ７に分割されている。複数のセルグループ７は、図７Ａに示すように、正極側往路配管Ｌ１および正極側復路配管Ｌ２を介して正極側タンク３に接続され、負極側往路配管Ｌ３および負極側復路配管Ｌ４を介して負極側タンク５に接続されている。換言すると、複数のセルグループ７は、各電解液が複数のセルグループ７を並列で流れるように互いに接続されている。これに対し、各セルグループ７の複数の電池セル１０は、図７Ｂに示すように、各電解液が複数の電池セル１０を直列に流れるように互いに接続されている。すなわち、各セルグループ７では、各電解液が複数の電池セル１０を積層方向に順次流れるように、隣接する２つのセルフレーム２０の２つの貫通孔３１〜３４のみが互いに連通している。具体的には、隣接する２つの左下の貫通孔３１とこれらに接続する２つのスリット３５が、正極電解液用の直列流路Ｓ１を構成し、隣接する２つの右上の貫通孔３２とこれらに接続する２つのスリット３６が、正極電解液用の直列流路Ｓ２を構成する。また、隣接する２つの右下の貫通孔３３とこれらに接続する２つのスリット３７が、負極電解液用の直列流路Ｓ３を構成し、隣接する２つの左上の貫通孔３４とこれらに接続する２つのスリット３８が、負極電解液用の直列流路Ｓ４を構成する。このような構成においても、セルフレーム２０の各スリット３５〜３８に上述した十字型回転体４０を設置することができる。
【００４２】
また、セルフレーム２０内の十字型回転体４０に加えて、あるいはその代わりに、セルグループ７と配管Ｌ１〜Ｌ４とをそれぞれ接続する接続配管Ｌ１１〜Ｌ１４に、これら接続配管Ｌ１１〜Ｌ１４内を流れる電解液によって回転する回転体が収容されていてもよい。これによっても、レドックスフロー電池１全体として、電解液の電気抵抗を大きくすることができ、シャントカレントロスを低減することができる。このような回転体としては、上述した十字型回転体が挙げられる他、後述する一対のルーツロータや、これらルーツロータと実質的に同じ原理で動作する一対のオーバル歯車が挙げられる。
【００４３】
レドックスフロー電池１の階層的な流路構成は、上述のような複数の直列流路が並列に接続された流路構成に限定されず、例えば、複数の並列流路が並列に接続された流路構成であってもよい。すなわち、各セルグループ７の複数の電池セル１０が、図１Ｂに示す複数の電池セル１０と同様の並列流路を構成し、それらが並列に接続されてセルスタック２を構成していてもよい。
【００４４】
なお、図７Ａおよび図７Ｂに示す変形例では、正極側タンク３を２つ（正極側往路配管Ｌ１に接続されたタンクと正極側復路配管Ｌ２に接続されたタンク）に分け、これら２つのタンクに、還元状態の活物質濃度と酸化状態の活物質濃度の割合が異なる２種類の正極電解液を別々に貯留してもよい。同様に、負極側タンク５を２つ（負極側往路配管Ｌ３に接続されたタンクと負極側復路配管Ｌ４に接続されたタンク）に分け、これら２つのタンクに、還元状態の活物質濃度と酸化状態の活物質濃度の割合が異なる２種類の負極電解液を別々に貯留してもよい。例えば、配管Ｌ１に接続されたタンクに、還元状態の正極活物質を相対的に多く含む正極電解液を貯留し、配管Ｌ２に接続されたタンクに、酸化状態の正極活物質を相対的に多く含む正極電解液を貯留してもよい。また、配管Ｌ３に接続されたタンクに、酸化状態の負極活物質を相対的に多く含む負極電解液を貯留し、配管Ｌ４に接続されたタンクに、還元状態の負極活物質を相対的に多く含む負極電解液を貯留してもよい。
【００４５】
このような場合、充電動作時には、配管Ｌ１に接続されたタンクから、還元状態の正極活物質を相対的に多く含む正極電解液が正極セル１１に供給され、配管Ｌ３に接続されたタンクから、酸化状態の負極活物質を相対的に多く含む負極電解液が負極セル１２に供給される。正極セル１１内では酸化反応が連続的に進行し、酸化状態に変化した正極活物質を含む正極電解液は、配管Ｌ２に接続されたタンクに回収される。負極セル１２内では還元反応が連続的に進行し、還元状態に変化した負極活物質を含む負極電解液は、配管Ｌ４に接続されたタンクに回収される。一方、放電動作時には、配管Ｌ２に接続されたタンクから、酸化状態の正極活物質を相対的に多く含む正極電解液が正極セル１１に供給され、配管Ｌ４に接続されたタンクから、還元状態の負極活物質を相対的に多く含む負極電解液が負極セル１２に供給される。正極セル１１内では還元反応が連続的に進行し、還元状態に変化した正極活物質を含む正極電解液は、配管Ｌ１に接続されたタンクに回収される。負極セル１２内では酸化反応が連続的に進行し、酸化状態に変化した負極活物質を含む負極電解液は、配管Ｌ３に接続されたタンクに回収される。
【００４６】
図７Ａおよび図７Ｂに示す変形例を含む上述した実施形態では、セルスタック２を構成するすべてのセルフレーム２０に十字型回転体４０が設けられていなくてもよい。例えば、シャントカレントロスが相対的に発生しにくい領域のセルフレーム２０には、十字型回転体４０が設けられていなくてもよい。同様に、図７Ａおよび図７Ｂに示す変形例では、複数のセルグループ７と配管Ｌ１〜Ｌ４とを接続するすべての接続配管（流路）のうち、シャントカレントロスが相対的に発生しにくい領域の接続配管には、回転体が設けられていなくてもよい。
【００４７】
（第２の実施形態）
図８は、本発明の第２の実施形態に係るセルフレームの概略平面図であり、図２に対応する図である。
【００４８】
本実施形態は、スリットに設置される回転体（およびこれに伴う回転体収容部）の構成が第１の実施形態と異なっており、これ以外の構成は第１の実施形態と同様である。以下、第１の実施形態と同様の構成については、図面に同じ符号を付して説明は省略し、第１の実施形態と異なる構成のみ説明する。なお、第１の実施形態に対する上述したいくつかの変形例は、本実施形態に対しても同様に適用可能である。
【００４９】
本実施形態では、スリット３５内に一対のルーツロータ６１，６２が収容されている。各ルーツロータ６１，６２は、スリット３５の深さ方向（枠体２１の厚み方向）に平行な回転軸５５，５６に固定され、各回転軸５５，５６は、枠体２１に対して回転可能に設けられている。なお、回転軸５５，５６が枠体２１に固定され、各ルーツロータ６１，６２が回転軸５５，５６に対して回転可能に取り付けられていてもよい。
【００５０】
一対のルーツロータ６１，６２は、電解液入口５３から回転体収容部５０に流入する電解液の流れを受けると、それぞれ回転軸５５，５６を中心として外側に回転し、したがって反対方向に回転する。このとき、一対のルーツロータ６１，６２は、互いに実質的に接触しながら回転する。さらに、一方のルーツロータ６１は、回転体収容部５０の内壁面５２のうち一方の部分５２ａに実質的に接触しながら回転し、他方のルーツロータ６２は、他方の部分５２ｂに実質的に接触しながら回転する。こうして、一対のルーツロータ６１，６２は、回転体収容部５０の電解液入口５３と電解液出口５４との間の電解液による導通を常時実質的に遮断することができる。なお、ここでいう「実質的に接触」とは、上述した通り、その隙間から電解液による導通が発生してもそれが無視できる程度であれば、各ルーツロータ６１，６２と回転体収容部５０の内壁面５２との間にわずかな隙間があったり、一対のルーツロータ６１，６２の間にわずかな隙間があったりしてもよいことを意味する。回転体収容部５０に流入した電解液は、各ルーツロータ６１，６２と回転体収容部５０の内壁面５２との間に形成される空間を通り、電解液出口５４を通じて回転体収容部５０から流出する。
【００５１】
図示した実施形態では、ルーツロータ６１，６２は二葉式のものであるが、三葉式のものであってもよい。また、第１の実施形態の十字型回転体４０と同様に、複数のセルフレーム２０が積層されてセルスタック２を構成したときに、複数対のルーツロータ６１，６２が、積層方向から見て同じ位置に設けられ、互いに同期して回転するようになっていてもよい。複数対のルーツロータ６１，６２を同期させる方法としては、上述した磁気的な連結手段を用いる方法の他、複数のルーツロータ６１，６２を共通の回転軸５５，５６に固定するなど、機械的な連結手段を用いることもできる。
【００５２】
なお、一対のルーツロータ６１，６２の代わりに、これらルーツロータと実質的に同じ原理で動作する一対のオーバル歯車を用いることもできる。
【符号の説明】
【００５３】
１  レドックスフロー電池
２  セルスタック
３  正極側タンク
４  正極側ポンプ
５  負極側タンク
６  負極側ポンプ
７  セルグループ
１０  電池セル
１１  正極セル
１１ａ  正極電極
１２  負極セル
１２ａ  負極電極
１３  隔膜
２０  セルフレーム
２１  枠体
２２  開口部
２３  双極板
３１〜３４  貫通孔
３５〜３８  スリット
４０  十字型回転体
４１  ベース部
４１ａ  長孔
４２，４３  主翼部
４４，４５  補助翼部
５０  回転体収容部
５１  軸部
５２  内壁面
５２ａ  （内壁面の）一方の部分
５２ｂ  （内壁面の）他方の部分
５３  電解液入口（流体入口）
５４  電解液出口（流体出口）
５５，５６  回転軸
６１，６２  ルーツロータ
Ｌ１  正極側往路配管
Ｌ２  正極側復路配管
Ｌ３  負極側往路配管
Ｌ４  負極側復路配管
Ｌ１１〜Ｌ１４  接続配管
Ｃ１，Ｃ３  共通供給流路
Ｃ２，Ｃ４  共通回収流路
Ｐ１，Ｐ３  個別供給流路
Ｐ２，Ｐ４  個別回収流路
Ｓ１〜Ｓ４  直列流路
【図１Ａ】
2020080278.tif 000003
【図１Ｂ】
2020080278.tif 000004
【図２】
2020080278.tif 000005
【図３Ａ】
2020080278.tif 000006
【図３Ｂ】
2020080278.tif 000007
【図３Ｃ】
2020080278.tif 000008
【図３Ｄ】
2020080278.tif 000009
【図３Ｅ】
2020080278.tif 000010
【図３Ｆ】
2020080278.tif 000011
【図４Ａ】
2020080278.tif 000012
【図４Ｂ】
2020080278.tif 000013
【図４Ｃ】
2020080278.tif 000014
【図４Ｄ】
2020080278.tif 000015
【図４Ｅ】
2020080278.tif 000016
【図５】
2020080278.tif 000017
【図６】
2020080278.tif 000018
【図７Ａ】
2020080278.tif 000019
【図７Ｂ】
2020080278.tif 000020
【図８】
2020080278.tif 000021
【国際調査報告】
2020080278.tif 000022
2020080278.tif 000023
2020080278.tif 000024
2020080278.tif 000025
2020080278.tif 000026
2020080278.tif 000027
2020080278.tif 000028
2020080278.tif 000029